(57)【要約】      （修正有）【課題】騒音を十分に低減させることが可能な建設機械の排気構造を提供する。【解決手段】建設機械のエンジンルーム内にダクト２８を設け、エンジンから排出された排ガスが流通する排ガス管の先端部を前記ダクト内に挿入し、前記エンジンルーム内に導入した冷却用空気と、前記エンジンから排出された排ガスとを前記ダクト内で混合させて、前記ダクトから前記エンジンルーム外に排出する建設機械の排気構造において、多数の貫通孔を備えた金属製の多孔板２が、前記ダクトの内壁面との間に空気層３を形成するように前記ダクトの内壁面に沿って配置される。【選択図】図４
2014029151.tif 000002
【特許請求の範囲】
【請求項１】
建設機械のエンジンルーム内にダクトを設け、エンジンから排出された排ガスが流通する排ガス管の先端部を前記ダクト内に挿入し、前記エンジンルーム内に導入した冷却用空気と、前記エンジンから排出された排ガスとを前記ダクト内で混合させて、前記ダクトから前記エンジンルーム外に排出する建設機械の排気構造において、
多数の貫通孔を備えた金属製の多孔板が、前記ダクトの内壁面との間に空気層を形成するように前記ダクトの内壁面に沿って配置されていることを特徴とする建設機械の排気構造。
【請求項２】
前記排ガス管の先端部近傍の前記空気層は、他の前記空気層よりも厚さが薄くされていることを特徴とする請求項１に記載の建設機械の排気構造。
【請求項３】
前記ダクトは折れ曲がっており、
前記多孔板における前記ダクトの折れ曲がり部に対向する部分は折れ曲がり方向に湾曲されていることを特徴とする請求項１又は２に記載の建設機械の排気構造。
【請求項４】
前記空気層が仕切られていることを特徴とする請求項１〜３のいずれか１項に記載の建設機械の排気構造。
【請求項５】
前記空気層内に多孔質吸音材が配置されていることを特徴とする請求項１〜４のいずれか１項に記載の建設機械の排気構造。
【請求項６】
前記排ガスを前記空気層に導く導入管が前記排ガス管から分岐されていることを特徴とする請求項１〜５のいずれか１項に記載の建設機械の排気構造。
【請求項７】
前記導入管は、前記ダクトの内壁面に沿って延びており、
前記導入管には、軸方向に複数の噴出口が設けられていることを特徴とする請求項６に記載の建設機械の排気構造。
【請求項８】
前記導入管の軸方向に前記空気層が仕切られていることを特徴とする請求項７に記載の建設機械の排気構造。
【発明の詳細な説明】
【技術分野】
【０００１】
本発明は、油圧ショベル等の建設機械において、エンジンから排出される排ガス、および、エンジン等を冷却した冷却済み空気（排風）をエンジンルーム外に排出するための排気構造に関する。
【背景技術】
【０００２】
従来、油圧ショベル等の建設機械において、エンジンから排出される高温（例えば５００℃）の排ガスを排ガス管（尾管）によってエンジンルームから直接外部に上向きに排出すると、周囲の温度環境が悪化し、立木が枯れたりするという問題があった。特に、オペレータが排気熱と排気音とを身近に受けるため、オペレータの作業環境が悪くなるという問題があった。
【０００３】
そこで、特許文献１には、エンジンルーム内における排気口の下部に、グラスウール等の吸音材を内面側に備えた筒状のダクトを、上端が排気口に、下端がエンジンルーム内にそれぞれ開口するように上下方向に設けるとともに、排ガス管の先端部をダクト下方から上向きに折り曲げてダクト内に挿入したエンジン室内蔵エンジン吸排気装置が開示されている。このような構成であれば、排風および排ガスをダクト内に導いて両者を混合させることで、排ガス温度を低下させた上で外部に排出することができるとともに、ダクト内の吸音材で運転騒音を減音させることができる。
【先行技術文献】
【特許文献】
【０００４】
【特許文献１】特開平３−２２９９０７号公報
【発明の概要】
【発明が解決しようとする課題】
【０００５】
ところで、音源近くに設置した吸音材が音源に近いほど、吸音効果は大きくなる。しかし、非常に高温で高速に流れる排ガスに吸音材が晒されるような環境においては、グラスウールのような通常の吸音材を排ガスの噴出口付近に設置することはできない。よって、騒音を十分に低減させることができなかった。なお、排ガスの噴出口付近に設置可能な吸音材はあるが、種類（吸音帯域）が限られており、吸音効果が小さく、ダクトを大きくする必要があり、コストが高いという問題がある。
【０００６】
本発明の目的は、騒音を十分に低減させることが可能な建設機械の排気構造を提供することである。
【課題を解決するための手段】
【０００７】
本発明における建設機械の排気構造は、建設機械のエンジンルーム内にダクトを設け、エンジンから排出された排ガスが流通する排ガス管の先端部を前記ダクト内に挿入し、前記エンジンルーム内に導入した冷却用空気と、前記エンジンから排出された排ガスとを前記ダクト内で混合させて、前記ダクトから前記エンジンルーム外に排出する建設機械の排気構造において、多数の貫通孔を備えた金属製の多孔板が、前記ダクトの内壁面との間に空気層を形成するように前記ダクトの内壁面に沿って配置されていることを特徴とする。
【０００８】
上記の構成によれば、多孔板は金属製なので、耐熱性・耐風性に優れており、排ガスの噴出口付近に設置可能である。そして、多孔板が備える多数の貫通孔を通過する空気には粘性減衰作用が生じて、空気振動（音）が熱エネルギーへと変換され、空気振動に減衰が生じるので、比較的広い周波数帯域で音波が吸音される。また、ダクトの内壁面と多孔板との間に設けた空気層により、ヘルムホルツ共鳴原理による消音作用が生じるので、この共鳴原理と前述の空気の粘性減衰作用とにより、ヘルムホルツの共鳴周波数を中心に幅広い帯域の音波が消音される。これにより、騒音を十分に低減させることができる。
【０００９】
また、本発明における建設機械の排気構造において、前記排ガス管の先端部近傍の前記空気層は、他の前記空気層よりも厚さが薄くされていてよい。上記の構成によれば、排ガス管の先端部近傍の空気層の厚さを、他の空気層の厚さよりも薄くすることで、排ガス管の先端部近傍における開口面積を広げることができるので、排ガス管の先端部近傍を流れる空気の流量を確保することができる。また、空気層の厚みを変化させることで吸音周波数帯域が変化するので、吸音したい周波数帯域が吸音周波数帯域となるように空気層の厚みを変化させることで、騒音を好適に低減させることができる。
【００１０】
また、本発明における建設機械の排気構造において、前記ダクトは折れ曲がっており、前記多孔板における前記ダクトの折れ曲がり部に対向する部分は折れ曲がり方向に湾曲されていてよい。上記の構成によれば、多孔板におけるダクトの折れ曲がり部に対向する部分を折れ曲がり方向に湾曲させて、空気層の厚みをなめらかに変化させることで、冷却用空気に対する流体抵抗を低減させることができる。
【００１１】
また、本発明における建設機械の排気構造においては、前記空気層が仕切られていてよい。上記の構成によれば、空気層を仕切ることで、空気層内において音波が多孔板に平行して進行するのを防止することができる。これにより、貫通孔を通過する空気に生じる粘性減衰作用が増大するので、吸音率を高めることができる。
【００１２】
また、本発明における建設機械の排気構造においては、前記空気層内に多孔質吸音材が配置されていてよい。上記の構成によれば、空気層内に多孔質吸音材を配置することにより、排ガスの熱による多孔質吸音材への影響を多孔板によって遮断しつつ、高周波における吸音性能を向上させることができる。
【００１３】
また、本発明における建設機械の排気構造においては、前記排ガスを前記空気層に導く導入管が前記排ガス管から分岐されていてよい。上記の構成によれば、導入管で排ガスを空気層に導くことで、多孔板の貫通孔から定常的に排ガスが噴出するようになる。ここで、定常流の存在によって多孔板の減衰性能が大幅に増大することが知られている。そこで、多孔板の貫通孔から定常的に排ガスを噴出させることで、吸音率を高めることができる。
【００１４】
また、本発明における建設機械の排気構造において、前記導入管は、前記ダクトの内壁面に沿って延びており、前記導入管には、軸方向に複数の噴出口が設けられていてよい。上記の構成によれば、ダクトの内壁面に沿って延びる導入管に、軸方向に複数の噴出口を設けることで、噴出口から噴出して多孔板の貫通孔を通過する排ガスの流速をほぼ一定にすることができる。これにより、安定した高い吸音性能を得ることができる。
【００１５】
また、本発明における建設機械の排気構造においては、前記導入管の軸方向に前記空気層が仕切られていてよい。上記の構成によれば、導入管の軸方向に空気層を仕切ることで、噴出口から噴出して多孔板の貫通孔を通過する排ガスの流速をより一定にすることができる。これにより、より安定した高い吸音性能を得ることができる。また、空気層を仕切ることで、空気層内において音波が多孔板に平行して進行するのを防止することができる。これにより、音波が貫通孔を通過しやすくなるので、吸音性能を向上させることができる。
【発明の効果】
【００１６】
本発明の建設機械の排気構造によると、排ガスの噴出口付近に設置可能な金属製の多孔板により、騒音を十分に低減させることができる。
【図面の簡単な説明】
【００１７】
【図１】小型ショベルの側面図である。
【図２】エンジンルームの断面図である。
【図３】図２の要部Ａの拡大図である。
【図４】図２をＢ方向から見た部分断面図である。
【図５】騒音の評価結果を示すグラフである。
【図６】図２をＢ方向から見た部分断面図である。
【図７】吸音周波数帯域の変化を示す図である。
【図８】図２をＢ方向から見た部分断面図である。
【図９】図２をＢ方向から見た部分断面図である。
【図１０】図９をＤ方向から見た図である。
【図１１】吸音性能の評価結果を示すグラフである。
【発明を実施するための形態】
【００１８】
以下、本発明の好適な実施の形態について、図面を参照しつつ説明する。
【００１９】
［第１実施形態］
（油圧ショベルの構成）
本発明の第１実施形態による建設機械の排気構造（排気構造）１は、図１に示すように、建設機械である油圧ショベル１０に設けられている。なお、建設機械は油圧ショベル１０に限定されない。
【００２０】
油圧ショベル１０は、下部走行体１１上に上部旋回体１２が旋回自在に搭載され、この上部旋回体１２の前部に掘削装置１３が装着されて構成されている。下部走行体１１は、上部旋回体１２が搭載されるカーボディ（図示せず）の左右両側にクローラ式走行装置１４を備えている。上部旋回体１２を構成するアッパーフレーム１５の後部には、アッパーフレーム１５、および、パネルやボンネット等のエンジンガード部材１６で囲われたエンジンルーム１７が設けられている。このエンジンルーム１７内には、エンジン２１とその関連機器が設置されている。また、エンジンガード部材１６上に運転席１８と操作レバー（図示せず）とが設けられ、オペレータが運転席１８に着座した状態でレバー操作を行う。運転席１８の上方はキャノピ１９で覆われている。
【００２１】
エンジンルーム１７を背面側から見たＣ−Ｃ断面図である図２に示すように、エンジンルーム１７内にはエンジン２１が設けられており、エンジン２１の一端側（図中左側）には、エンジン２１で駆動される冷却用のファン２２と、ラジエータ等の熱交換器２３とが設けられている。また、エンジン２１の一端側の上面壁（エンジンガード部材１６の上面壁）には、吸気口２４が設けられている。
【００２２】
また、エンジン２１の他端側（図中右側）には、消音器（マフラー）２５が設けられており、この消音器２５には、排ガス管２６が接続されている。また、エンジン２１の他端側の下面壁（アッパーフレーム１５）には、排気口２７が設けられており、この排気口２７の上方には、筒状のダクト２８が設けられている。
【００２３】
ダクト２８は、下端の出口側が排気口２７に、上端の入口側がエンジンルーム１７内にそれぞれ開口する状態で上下方向に設けられている。また、排ガス管２６は、中間部がダクト２８に向かって折り曲げられ、その先端側部分（先端部）２６ａが、ダクト２８の側壁を貫いてダクト２８内に挿入されている。即ち、排ガス管２６の先端側部分２６ａは、ダクト２８と交差（望ましくは図示のように直交）してダクト２８内をほぼ横断する状態で挿入されている。そして、排ガス管２６の先端開口は閉塞され、または、小開口面積に絞られている。
【００２４】
図２の要部Ａの拡大図である図３に示すように、排ガス管２６の先端側部分２６ａには、ダクト２８内を通る排風の風下側の半周部分（排風と直交する線より下側の半周部分）に、排ガスをダクト２８内に噴射する複数の排出穴２６ｂが設けられている。この排出穴２６ｂは、先端側部分２６ａの半周部分における周方向の複数箇所に、かつ、先端側部分２６ａの長さ方向の複数箇所にそれぞれ間隔をおいて設けられている。
【００２５】
また、排出穴２６ｂは、ここから排出される排ガス量が先端側部分２６ａの長さ方向に略均等となるように、その開口面積が先端側部分２６ａの先端に向かって漸減する状態で設けられている。具体的には、先端側部分２６ａの長さ方向における排出穴２６ｂの間隔（密度）が先端側部分２６ａの先端に向かって漸次大きくなる（密度が疎になる）状態で設けられている。あるいは、排出穴２６ｂの大きさを先端に向かって漸次小さくしてもよい。
【００２６】
なお、排出穴２６ｂは、丸穴でもよいし、角穴でもよい。あるいは、先端側部分２６ａの長さ方向に長い溝穴としてもよい。溝穴とする場合は、その幅寸法を先端に向かって漸次小さくすればよい。
【００２７】
上記の構成において、図２に示すように、ファン２２の回転により吸気口２４からエンジンルーム１７内に導入された外気は、熱交換器２３を通って熱交換を行った後に、エンジン２１を冷却し、冷却済み空気（排風）としてダクト２８を通って排気口２７から排出される。
【００２８】
また、エンジン２１から排出された高温（例えば５００℃）の排ガスは、消音器２５を通って消音された後に、排ガス管２６を通ってダクト２８内に排出され、排風と混合されて排気口２７から排出される。
【００２９】
ここで、排ガスと排風との混合気がエンジンルーム１７内から下向きに、即ち、運転席１８と上下反対側に排出されるため、オペレータが受ける熱と騒音による悪影響を著しく低減させることができる。
【００３０】
また、排ガスが、排ガス管２６の先端側部分２６ａの風下側半周部分であって略全長部分からダクト２８内に、先端側部分２６ａの中心に対して放射状に噴射される。即ち、排ガスが、ダクト２８の排風方向と異なる方向に、先端側部分２６ａの周方向及び長さ方向に分散して噴射される。この異方向噴射作用により、圧力および流速が排風よりも高い排ガスがダクト２８の断面の広い面積範囲に長くとどまるため、低圧で低速の排風と混ざりやすくなる。また、排ガスの周方向及び長さ方向への拡散作用により、排ガスがダクト２８内のさらに広い範囲で排風と混ざり合う。これにより、排ガスと排風との混合効率を高め、排ガス温度を好ましい温度（例えば５００℃から１００℃）まで確実に低下させた上で、ダクト２８および排気口２７から外部に排出することができる。
【００３１】
また、上記の排ガス噴射作用によって、排ガスの排出音（排気音）がダクト２８の内面に接触し易くなるとともに、エンジン２１および消音器２５から発生して排風に乗って外部に排出される音が排ガスとともにダクト２８内で拡散・反射し易くなるので、外部に排出される運転騒音を低減させることができる。
【００３２】
（排気構造の構成）
排気構造１は、図２をＢ方向から見た部分断面図である図４に示すように、ダクト２８内に配置されたアルミニウム製の多孔板２を有している。多孔板２はアルミニウム製なので、耐熱性・耐風性に優れており、排ガス管２６の先端側部分２６ａの排出穴２６ｂ（図３参照）付近に設置可能である。なお、多孔板２は鉄等の金属からなっていてもよい。
【００３３】
多孔板２は、多数の貫通孔を備えており、ダクト２８の図中右側の内壁面および図中左側の内壁面に沿ってそれぞれ配置されている。ここで、ダクト２８は「く」の字に少なくとも１回折れ曲がっているが、多孔板２は、ダクト２８のどの内壁面に対しても平行となるように折り曲げられている。ダクト２８の図中右側の内壁面と、これに対向する多孔板２との間には、厚みａの空気層３が形成されている。同様に、ダクト２８の図中左側の内壁面と、これに対向する多孔板２との間には、厚みａの空気層３が形成されている。本実施形態において、多孔板２は、板厚が０．３ｍｍ、貫通孔の孔径が０．５ｍｍである。なお、多孔板２は、貫通孔の孔径が３ｍｍ以下で開口率が３％以下であることが好ましい。また、本実施形態において、空気層３の厚みａは２５ｍｍである。
【００３４】
上記の構成において、ダクト２８を通過する排風のうち、多孔板２が備える多数の貫通孔を通過する空気には、粘性減衰作用が生じる。これにより、空気振動（音）が熱エネルギーへと変換され、空気振動に減衰が生じるので、比較的広い周波数帯域で音波が吸音される。また、ダクト２８の壁面と多孔板２との間に設けた空気層３により、ヘルムホルツ共鳴原理による消音作用が生じる。この共鳴原理と前述の空気の粘性減衰作用とにより、ヘルムホルツの共鳴周波数を中心に幅広い帯域の音波が消音される。よって、エンジン２１やファン２２からの騒音、および、排ガス管２６の先端側部分２６ａからの騒音が低減される。
【００３５】
（騒音評価）
次に、ダクト２８内に多孔板２を設けた場合と設けない場合とで、排気口２７付近における騒音を評価した。その結果を図５に示す。ここで、多孔板２は、板厚が０．３ｍｍ、貫通孔の孔径が０．５ｍｍであり、空気層３の厚みａは２５ｍｍである。ダクト２８内に多孔板２を設けた場合、４００〜６３００Ｈｚの周波数帯において騒音の低下がみられた。
【００３６】
（効果）
以上に述べたように、本実施形態に係る排気構造１によると、多孔板２は金属製なので、耐熱性・耐風性に優れており、排ガス管２６の先端側部分２６ａの排出穴２６ｂ付近に設置可能である。そして、多孔板２が備える多数の貫通孔を通過する空気には粘性減衰作用が生じて、空気振動（音）が熱エネルギーへと変換され、空気振動に減衰が生じるので、比較的広い周波数帯域で音波が吸音される。また、ダクト２８の内壁面と多孔板２との間に設けた空気層３により、ヘルムホルツ共鳴原理による消音作用が生じるので、この共鳴原理と前述の空気の粘性減衰作用とにより、ヘルムホルツの共鳴周波数を中心に幅広い帯域の音波が消音される。これにより、騒音を十分に低減させることができる。
【００３７】
［第２実施形態］
（排気構造の構成）
次に、本発明の第２実施形態に係る排気構造２０１について説明する。なお、上述した構成要素と同じ構成要素については、同じ参照番号を付してその説明を省略する。本実施形態の排気構造２０１が第１実施形態の排気構造１と異なる点は、図２をＢ方向から見た部分断面図である図６に示すように、排ガス管２６の先端側部分２６ａの近傍の空気層３’は、他の空気層３よりも厚さが薄くされている点である。
【００３８】
多孔板２０２は、多数の貫通孔を備えており、ダクト２８の図中右側の内壁面および図中左側の内壁面に沿ってそれぞれ配置されている。また、多孔板２０２は、排ガス管２６の先端側部分２６ａの近傍の空気層３’の厚みｂが、他の空気層３の厚みａよりも薄くなるように、先端側部分２６ａの近傍においてコ字状に折り曲げられている。これにより、排ガス管２６の先端側部分２６ａの近傍における開口面積が広がるので、先端側部分２６ａの近傍を流れる空気の流量が確保される。
【００３９】
また、図７に示すように、空気層３，３’の厚みａ，ｂや多孔板２０２の開口率を変化させることで、吸音周波数帯域が変化する。よって、吸音したい周波数帯域が吸音周波数帯域となるように空気層３，３’の厚みａ，ｂや開口率を変化させることで、騒音を好適に低減させることができる。なお、空気層３，３’の厚みａ，ｂを変化させると同時に多孔板２０２の開口率を変化させることで、吸音周波数帯域を変化させないなど任意の設計が可能である。
【００４０】
（効果）
以上に述べたように、本実施形態に係る排気構造２０１によると、排ガス管２６の先端側部分２６ａ近傍の空気層３’の厚さを、他の空気層３の厚さよりも薄くすることで、排ガス管２６の先端側部分２６ａ近傍における開口面積を広げることができるので、排ガス管２６の先端側部分２６ａ近傍を流れる空気の流量を確保することができる。また、空気層３，３’の厚みを変化させることで吸音周波数帯域が変化するので、吸音したい周波数帯域が吸音周波数帯域となるように空気層３，３’の厚みを変化させることで、騒音を好適に低減させることができる。
【００４１】
［第３実施形態］
（排気構造の構成）
次に、本発明の第３実施形態に係る排気構造３０１について説明する。なお、上述した構成要素と同じ構成要素については、同じ参照番号を付してその説明を省略する。本実施形態の排気構造３０１が第１実施形態の排気構造１と異なる点は、図２をＢ方向から見た部分断面図である図８に示すように、多孔板３０２におけるダクト２８の折れ曲がり部２８ａに対向する部分３０２ａは折れ曲がり方向に湾曲されている点と、空気層３が仕切られている点と、空気層３内に多孔質吸音材５が配置されている点である。
【００４２】
多孔板３０２におけるダクト２８の折れ曲がり部２８ａに対向する部分３０２ａを折れ曲がり方向に湾曲させて、空気層３の厚みａをなめらかに変化させることで、排風に対する流体抵抗が低減する。なお、排ガス管２６の先端側部分２６ａの近傍の空気層３の厚みが、他の空気層３の厚みよりも薄くなるように、ダクト２８の折れ曲がり部２８ａに対向する部分３０２ａを湾曲させてもよい。これによると、排ガス管２６の先端側部分２６ａの近傍における開口面積が広がるので、先端側部分２６ａの近傍を流れる空気の流量が確保される。
【００４３】
また、ダクト２８の内壁面と多孔板３０２との間に設けた仕切り壁４で、空気層３を仕切ることで、空気層３内において音波が多孔板３０２に平行して進行するのが防止される。これにより、貫通孔を通過する空気に生じる粘性減衰作用が増大し、吸音率が高まる。なお、多孔板３０２をダクト２８の壁面に向かって折り曲げることで、仕切り壁４’としてもよい。この場合、部品点数が増加しないので、コストを抑えることができる。
【００４４】
また、空気層３内にグラスウール、ウレタンといった多孔質吸音材５を配置することで、高周波における吸音性能が向上する。なお、排ガスの熱による多孔質吸音材５への影響は、多孔板３０２によって遮断される。
【００４５】
（効果）
以上に述べたように、本実施形態に係る排気構造３０１によると、多孔板３０２におけるダクト２８の折れ曲がり部２８ａに対向する部分３０２ａを折れ曲がり方向に湾曲させて、空気層３の厚みをなめらかに変化させることで、排風に対する流体抵抗を低減させることができる。
【００４６】
また、空気層３を仕切ることで、空気層３内において音波が多孔板３０２に平行して進行するのを防止することができる。これにより、貫通孔を通過する空気に生じる粘性減衰作用が増大するので、吸音率を高めることができる。
【００４７】
また、空気層３内に多孔質吸音材５を配置することにより、排ガスの熱による多孔質吸音材５への影響を多孔板３０２によって遮断しつつ、高周波における吸音性能を向上させることができる。
【００４８】
［第４実施形態］
（排気構造の構成）
次に、本発明の第４実施形態に係る排気構造４０１について説明する。なお、上述した構成要素と同じ構成要素については、同じ参照番号を付してその説明を省略する。本実施形態の排気構造４０１が第１実施形態の排気構造１と異なる点は、図２をＢ方向から見た部分断面図である図９に示すように、排ガスを空気層３に導く導入管２６ｃが排ガス管２６から分岐されている点である。
【００４９】
図９をＤ方向から見た図である図１０に示すように、導入管２６ｃは、排ガス管２６の先端側部分２６ａから分岐されて空気層３内に挿入されている。そして、導入管２６ｃは、空気層３内において、ダクト２８の内壁面に沿って延びている。また、導入管２６ｃには、軸方向に複数の噴出口２６ｄが設けられており、これらの一部は多孔板２に対向している。また、空気層３は、仕切り壁６によって、導入管２６ｃの軸方向に複数に仕切られている。
【００５０】
導入管２６ｃで排ガスを空気層３に導くことで、多孔板２の貫通孔から定常的に排ガスが噴出するようになる。ここで、定常流の存在によって多孔板２の減衰性能が大幅に増大することが知られている。そこで、多孔板２の貫通孔から定常的に排ガスを噴出させることで、吸音率を高めることができる。
【００５１】
また、ダクト２８の内壁面に沿って延びる導入管２６ｃに、軸方向に複数の噴出口２６ｄを設けることで、噴出口２６ｄから噴出して多孔板２の貫通孔を通過する排ガスの流速をほぼ一定にすることができる。さらに、仕切り壁６で導入管２６ｃの軸方向に空気層３を仕切ることで、噴出口２６ｄから噴出して多孔板２の貫通孔を通過する排ガスの流速をより一定にすることができる。これにより、安定した高い吸音性能を得ることができる。
【００５２】
また、仕切り壁６で空気層３を仕切ることで、空気層３内において音波が多孔板２に平行して進行するのを防止することができる。これにより、音波が貫通孔を通過しやすくなるので、吸音性能を向上させることができる。
【００５３】
なお、図９では、図中左側の空気層３に導入管２６ｃが挿入されているが、図中右側の空気層３に導入管２６ｃが挿入されていてもよく、排ガス管２６からそれぞれ分岐した導入管２６ｃが図中左側の空気層３と図中右側の空気層３とにそれぞれ挿入されていてもよい。
【００５４】
（吸音性能評価）
次に、空気層３内に導入管２６ｃを設けた場合と設けない場合とで、吸音性能を評価した。その結果を図１１に示す。ここで、多孔板２は、板厚が０．３ｍｍ、貫通孔の孔径が０．５ｍｍであり、空気層３の厚みａは２５ｍｍである。空気層３内に導入管２６ｃを設けて、多孔板２の貫通孔から定常的に噴出する排ガスの流れ（定常流）を発生させた場合、５００〜１５００Ｈｚの周波数帯において吸音率の向上がみられた。
【００５５】
（効果）
以上に述べたように、本実施形態に係る排気構造４０１によると、導入管２６ｃで排ガスを空気層３に導くことで、多孔板２の貫通孔から定常的に排ガスが噴出するようになる。ここで、定常流の存在によって多孔板２の減衰性能が大幅に増大することが知られている。そこで、多孔板２の貫通孔から定常的に排ガスを噴出させることで、吸音率を高めることができる。
【００５６】
また、ダクト２８の内壁面に沿って延びる導入管２６ｃに、軸方向に複数の噴出口２６ｄを設けることで、噴出口２６ｄから噴出して多孔板２の貫通孔を通過する排ガスの流速をほぼ一定にすることができる。これにより、安定した高い吸音性能を得ることができる。
【００５７】
また、導入管２６ｃの軸方向に空気層３を仕切ることで、噴出口２６ｄから噴出して多孔板２の貫通孔を通過する排ガスの流速をより一定にすることができる。これにより、より安定した高い吸音性能を得ることができる。また、空気層３を仕切ることで、空気層３内において音波が多孔板２に平行して進行するのを防止することができる。これにより、音波が貫通孔を通過しやすくなるので、吸音性能を向上させることができる。
【００５８】
（本実施形態の変形例）
以上、本発明の実施形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００５９】
例えば、図２において、アッパーフレーム１５に設けられた排気口２７の上方にダクト２８が設けられた構成としたが、吸気口２４と同様にエンジンガード部材１６の上面壁に排気口２７が設けられ、その下方にダクト２８が設けられた構成であってもよい。即ち、排ガスと排風との混合気がエンジンルーム１７内から上向きに排出される構成であってもよい。
【符号の説明】
【００６０】
１，２０１，３０１，４０１  排気構造
２，２０２，３０２  多孔板
３，３’  空気層
４，４’  仕切り壁
５  多孔質吸音材
６  仕切り壁
１０  油圧ショベル
１１  下部走行体
１２  上部旋回体
１３  掘削装置
１４  クローラ式走行装置
１５  アッパーフレーム
１６  エンジンガード部材
１７  エンジンルーム
１８  運転席
１９  キャノピ
２１  エンジン
２２  ファン
２３  熱交換器
２４  吸気口
２５  消音器
２６  排ガス管
２６ａ  先端側部分（先端部）
２６ｂ  排出穴
２６ｃ  導入管
２６ｄ  噴出口
２７  排気口
２８  ダクト
２８ａ  折れ曲がり部
【図１】
2014029151.tif 000003
【図２】
2014029151.tif 000004
【図３】
2014029151.tif 000005
【図４】
2014029151.tif 000006
【図５】
2014029151.tif 000007
【図６】
2014029151.tif 000008
【図７】
2014029151.tif 000009
【図８】
2014029151.tif 000010
【図９】
2014029151.tif 000011
【図１０】
2014029151.tif 000012
【図１１】
2014029151.tif 000013